(57)【要約】【課題】食品の賞味期限や品質保持期限等の期限を確実かつ安定的に一括表示することができ、これにより確実に期限切れを防止することができる食品用期限表示シートを提供する。【解決手段】食品の賞味期限、品質保持期限等の所定期限を表示する食品用期限表示シートである。縦欄に設けられ対象となる食品が表示される食品表示欄９と横欄に設けられ日付及び曜日が所定期間にわたって表示される期間表示欄１０とにより区画された表示マップ８を有するシート本体２と、表示マップ８の指定升目８０に着脱自在に取り付けられる期限指示片３とを備える。指定升目８０に期限指示片３の移動を規制するため貫通孔８１が設けられ、この貫通孔８１を通して冷蔵庫壁面に期限指示片３が取り付けられる。【選択図】　　図１
0003096994.tif 000002
【実用新案登録請求の範囲】
【請求項１】
食品の賞味期限、品質保持期限等の所定期限を表示する食品用期限表示シートにおいて、
縦横欄のいずれか一方に設けられ対象となる食品が表示される食品表示欄と縦横欄の他方に設けられ日付と曜日のうち少なくとも一方が所定期間にわたって表示される期間表示欄とにより区画された表示マップを有するシート本体と、上記表示マップにおける区画位置に着脱自在に取り付けられる期限指示片とを備え、上記区画位置に上記期限指示片の移動を規制する移動規制部が設けられていることを特徴とする食品用期限表示シート。
【請求項２】
請求項１記載の食品用期限表示シートにおいて、上記移動規制部は、各区画位置に上記期限指示片を取り囲み得るように設けられた囲繞段部として形成されていることを特徴とする食品用期限表示シート。
【請求項３】
請求項２記載の食品用期限表示シートにおいて、上記区画位置に上記シート本体を厚み方向に貫通して貫通孔が形成され、この貫通孔の内周面にあたるシート本体部分が上記囲繞段部として構成されていることを特徴とする食品用期限表示シート。
【請求項４】
請求項３記載の食品用期限表示シートにおいて、上記シート本体はこのシート本体を密着状態に被取付面に取り付けるためのシート状の磁石を有する一方、上記期限指示片は上記貫通孔を通して被取付面に取り付けるための磁石を有することを特徴とする食品用期限表示シート。
【請求項５】
請求項２ないし請求項４のいずれか１項に記載の食品用期限表示シートにおいて、上記期限指示片は、取り付け状態でその一部が上記囲繞段部の上段面から突出することを特徴とする食品用期限表示シート。
【請求項６】
請求項１ないし請求項５の食品用期限表示シートにおいて、予め対象となる食品が表示されている複数個の食品表示片を備え、上記食品表示欄にはこの食品表示片が着脱自在に取り付けられることを特徴とする食品用期限表示シート。
【考案の詳細な説明】
【０００１】
【考案の属する技術分野】
この考案は、例えば冷蔵庫の扉に取り付けられ、冷蔵庫内に収納保管された食品の賞味期限、品質保持期限等の各種期限を一括表示する食品用期限表示シートに関する。
【０００２】
【従来の技術】
一般的に、食品には該食品の品質特性を十分に保持しうると認められる期限として賞味期限、品質保持期限等の期限が食品の包装や容器等に付さている。そして、この食品を購入した者は、この期限までに食品を食するように努めるが、一度購入した食品を冷蔵庫や戸棚などのなかに収納保管した場合、これらの期限を確認するため、わざわざ冷蔵庫や戸棚の扉を開けて、個々の食品の上記期限を確認しなければならず手間を要することがあった。
【０００３】
そこで、従来、日付欄と各日付に対応した曜日欄及びメモ欄とを有するカレンダー部が設けられたシート本体を備え、賞味期限等の期限である日付に対応した上記メモ欄に、賞味期限を向かえる食品を特定するための表示具を磁石により取り付ける食品用期限表示シートが提案されている（例えば、実用新案登録３０６１７５７号）。
【０００４】
この先行提案に係る食品用期限表示シートによれば、購入した食品の賞味期限、品質保持期限等の期限を一括表示することができるとともに、予め食品名等が記載された表示具を磁石によりカレンダー部に取り付けるだけでよく、手間が省け、しかもカレンダー部の日付欄に沿って表示具が配設されるので、時系列的に各食品の期限が視覚的に明確に表示され、期限切れを防止することができる。
【０００５】
【考案が解決しようとする課題】
しかしながら、上記先行提案に係る食品用期限表示シートによれば、単に上記メモ欄に表示具が磁石により取り付けられるだけのものであるので、メモ欄に取り付けられた表示具が振動等によりカレンダー部内の他の日付欄に移動するといった不都合を生じる。特に、この食品用期限表示シートが冷蔵庫や戸棚の扉に取り付けられている場合には、上記扉の開閉に伴って上記表示具が頻繁に振動し、上記移動も頻繁に生じていた。
【０００６】
このように、表示具が移動するとその都度当該表示具により特定される食品の期限を確認して表示具を配置し直さなければならず、或いは表示具の移動に伴い上記期限の誤認や見落としを生じて期限切れが増えるといった問題があった。
【０００７】
本考案は、上記したような従来技術に鑑みてなされたものであり、食品の賞味期限や品質保持期限等の期限を確実かつ安定的に一括表示することができ、これにより確実に期限切れを防止することができる食品用期限表示シートを提供することを目的とする。
【０００８】
【課題を解決するための手段】
上記課題を解決するため、この考案に係る食品用期限表示シートは、食品の賞味期限、品質保持期限等の所定期限を表示する食品用期限表示シートにおいて、縦横欄のいずれか一方に設けられ対象となる食品が表示される食品表示欄と縦横欄の他方に設けられ日付と曜日のうち少なくとも一方が所定期間にわたって表示される期間表示欄とにより区画された表示マップを有するシート本体と、上記表示マップの区画位置に着脱自在に取り付けられる期限指示片とを備え、上記区画位置に上記期限指示片の移動を規制する移動規制部が設けられていることを特徴とするものである。
【０００９】
上記考案によれば、縦欄と横欄とにより区画された表示マップであって、この縦欄と横欄のいずれか一方に対象となる食品が表示される食品表示欄が設けられるとともに、他方に日付と曜日のうち少なくとも一方が所定期間にわたって表示される期間表示欄が設けられた表示マップを有するシート本体と、上記食品表示欄に表示された特定食品とこの特定食品の上記期限に対応する上記期間表示欄に表示された日付・曜日とにより指定される上記表示マップの区画位置に着脱自在に取り付けられる期限指示片とを備えるので、食品表示欄に表示された特定食品とその期限に対応する日付・曜日とにより指定される表示マップ上の区画位置に上記期限指示片を取り付けるだけで、特定食品の賞味期限等の期限を表示マップ上に視覚的に明確に表示することができ、これを複数の食品について実行することにより、複数の食品の上記期限を視覚的かつ時系列的に一括表示することができる。従って、この食品表示欄に表示された特定食品について、食品ごとに上記期限を確認する手間が省けるとともに期限切れを確実に防止することができる。
【００１０】
また、上記食品表示欄と期間表示欄とにより区画された各区画位置に上記期限指示片の移動を規制する移動規制部が設けられているので、シート本体や期限指示片が振動した場合でも、上記期限指示片は移動規制部によりその移動が規制される。従って、従来の食品用期限表示シートのように期限指示片が上記振動に伴って移動し、異なる日付・曜日を指し示すといった事態を回避することができ、特定食品の期限を安定して表示することができ、これにより期限切れを確実に防止して期限切れによる食品の廃棄を抑制することができる。
【００１１】
この考案において、上記移動規制部の具体的構成を特に限定するものではないが、上記移動規制部は各区画位置に上記期限指示片を取り囲み得るように設けられた囲繞段部として形成されているのが好ましい。このように構成すれば、上記期限指示片の周面が囲繞段部に接触して確実に期限指示片の移動を規制することができる。
【００１２】
上記囲繞段部の具体的構成は、特に限定するものではなく、例えば上記各区画位置に上記期限指示片を取り囲み得るように設けられた囲繞壁により構成されるものであってもよいが、上記区画位置に上記シート本体を厚み方向に貫通して貫通孔が形成され、この貫通孔の内周面にあたるシート本体部分が上記囲繞段部として構成されるのが好ましい。このように構成すれば、囲繞段部を簡単に形成することができる。
【００１３】
上記貫通孔を形成することにより囲繞段部を構成する場合には、上記シート本体はこのシート本体を密着状態に被取付面に取り付けるためのシート状の磁石を有する一方、上記期限指示片は上記貫通孔を通して被取付面に取り付けるための磁石を有するのが好ましい。このように構成すれば、シート本体及び期限指示片を磁石により被取付面に密着した状態で取り付けることができ、期限指示片を磁石が付く被取付面に直接取り付ける場合でも、シート本体と期限指示片との相対位置関係を確実に確保することができる。
【００１４】
上記移動規制部が囲繞段部として形成される場合には、上記期限指示片は、取り付け状態でその一部が上記囲繞段部の上段面から突出するように構成されるのが好ましい。このように構成すれば、囲繞段部の上段面から突出する先端部を摘んで当該期限指示片を簡単に着脱することができる。
【００１５】
また、この考案において、予め対象となる食品が表示されている複数個の食品表示片を備え、上記食品表示欄にはこの食品表示片が着脱自在に取り付けられるように構成するのが好ましい。このように構成すれば、食品表示片を食品表示欄に取り付けるだけで簡単に期限表示の対象となる食品を特定することができる。
【００１６】
【考案の実施の形態】
本考案に係る食品用期限表示シートの好ましい実施の形態を図面に基づいて説明する。
【００１７】
図１は、本実施形態に係る食品用期限表示シートの平面図である。
【００１８】
この食品用期限表示シート１は、冷蔵庫の壁面（被取付面）に密着状態に取り付けられ、食品の賞味期限、品質保持期限等の所定期限を表示するものである。食品用期限表示シート１は、期限表示の対象となる食品が表示される食品表示欄９と日付及び曜日が所定期間にわたって表示される期間表示欄１０とをそれぞれ縦欄と横欄としてマトリックス状に区画された表示マップ８を有するシート本体２と、このシート本体２の表示マップ８内に設けられ特定食品の賞味期限、品質保持期限、消費期限等の期限を指示するための期限指示片３と、上記食品表示欄９に配設される食品表示片４と、上記期間表示欄１０に配設され日付を特定するための日付特定片５と、この日付特定片５により特定される日の属する月を示す月特定片６とを備える。
【００１９】
シート本体２は、平面視略矩形状の可撓性積層シートであり、図２に示すように、シート磁石層２０と表面層２１とが積層されている。このシート本体２の厚みは、特に限定するものではないが、耐久性を確保する観点から０．５ｍｍ以上に設定するのが好ましく、また厚すぎると可撓性が低下することから２．０ｍｍ以下に設定するのが好ましい。
【００２０】
シート磁石層２０は、合成樹脂やゴム等をバインダーとして磁性粉末を結合させてシート状に形成されたものであり、このシート磁石層２０により冷蔵庫の壁面Ｗにシート本体２を吸着し得るものとなされている。
【００２１】
表面層２１は、上記シート磁石層２０の上面に積層された合成樹脂からなる層であり、その表面には上記表示マップ８が表示されている。
【００２２】
表示マップ８は、シート本体２の表面に印刷により設けられ、図１に示すように、最左欄としての縦欄に食品表示欄９が設けられるとともに、最上欄としての横欄に期間表示欄１０が設けられ、食品表示欄９に表示された食品数と期間表示欄１０に表示された所定期間の日数との積算値分の指定升目８０を有するマトリックス状に区画形成されている。各指定升目８０には、シート本体２を厚み方向に貫通して形成された貫通孔８１が形成されている。この貫通孔８１は、これ（貫通孔８１）を通して冷蔵庫の壁面Ｗに取り付けられる期限指示片３を取り囲むものとなされており、その形状を特に限定するものではないが、本実施形態では円形状に設定されている。そして、この貫通孔８１を通して冷蔵庫壁面に取り付けられた期限指示片３が冷蔵庫壁面の振動等に伴い移動しようとすると、期限指示片３が貫通孔８１の内周面に当接して、その移動が規制される。しかも貫通孔８１の内周面のうち下半分に相当する箇所に当接することによりシート本体２が期限指示片３の一部を支持することになるので、期限指示片３の脱落が抑制される。すなわち、この貫通孔８１により冷蔵庫壁面Ｗとシート本体２表面との間に段部が形成され、この段部は期限指示片３を取り囲んでおり、従ってこの貫通孔８１の内周面にあたるシート本体２部分が本願請求項にいう囲繞段部（移動規制部）に相当する。
【００２３】
なお、表示マップ８は、罫線により各指定升目８０に区画されているが、この区画は表示マップ８が表示された領域を実質的に区画するものであればよく、必ずしも罫線により区画されていることを要しない。そして、この指定升目８０の内側位置が本願請求項にいう区画位置に相当する。
【００２４】
上記食品表示欄９は、期限表示の対象となる食品が縦方向に一ないし複数個表示される欄であり、賞味期限等の所定期限を有する食品が適宜表示される。例えば、冷蔵庫内保管されている全ての食品、或いは一部の食品（図１では玉子、牛乳、ハム・ベーコンが例示されている）が表示される。
【００２５】
この食品表示欄９への表示は、本実施形態では対象となる食品名が記載された食品表示片４を用いて、表示片用貫通孔９１を通して食品表示片４を冷蔵庫の壁面Ｗに取り付けることにより行われる。この表示片用貫通孔９１はシート本体２を厚み方向に貫通して形成され、食品表示片４を取り囲むものとなされており、食品表示欄９に沿って縦方向に複数個（本実施形態では１０個）列設されている。また、表示片用貫通孔９１の形状は、特に限定するものではないが、本実施形態では略矩形状に形成されている。なお、食品表示片４については後述する。このように、表示マップ８に食品表示欄９が設けられているので、期限表示の対象となる食品名が食品表示欄９に固めて表示することができ、これにより例えば保管されている食品を確認して補充すべき食品を容易に確認することができる。
【００２６】
一方、期間表示欄１０は、上記したように日付及び曜日が横方向に所定期間（本実施形態では２週間）にわたって表示される欄であり、曜日欄１００とその下欄に設けられた日付欄１０１とその左方であって上記食品表示欄９の上方に設けられた月表示欄１０３とから構成されている。曜日欄１００は表示マップ８の最上欄に設けられ、この曜日欄１００には所定期間の曜日が印刷等により予め表示されている。一方、日付欄１０１には所定期間の日付が曜日欄１００に表示された曜日に対応させて表示され、日付特定片用貫通孔１０２を通して日付特定片５を冷蔵庫の壁面Ｗに取り付けることにより日付が表示される。この日付特定片用貫通孔１０２は、シート本体２を貫通して形成され、日付特定片５を取り囲むものとなされており、日付欄１０１に沿って横方向に所定期間に含まれる日数に応じて複数個（本実施形態では１４個）列設されている。そして、日付特定片用貫通孔１０２の形状は、特に限定するものではないが、本実施形態では略円形状に形成されている。なお、日付特定片５については後述する。
【００２７】
月表示欄１０３は日付欄１０１に表示された日の属する月を特定するためのものであり、この月表示欄１０３には月特定片用貫通孔１０４を通して月特定片６を冷蔵庫の壁面Ｗに取り付けることにより月が表示される。この月特定片用貫通孔１０４は、月特定片６を取り囲むものとなされ、その形状は、特に限定するものではないが、本実施形態では略方形状に形成されている。なお、月特定片６については後述する。
【００２８】
一方、期限指示片３は、食品表示欄９に表示された食品ごとに設けられた特定食品の期限を上記期間表示欄１０に表示された日付、曜日に対応させて印すものである。従って、この期限指示片３は、期限表示の対象となる特定食品の賞味期限または品質保持期限等の所定期限を読み取って、食品表示欄９に表示されたこの特定食品に対応する横欄と、期間表示欄１０に表示された曜日、日付に対応する縦欄とが交差する指定升目８０の貫通孔８１に配設される。すなわち、食品表示欄９に表示された特定食品についての期限を確認するには、まず食品表示欄９の特定食品が示された位置から行方向（右方向）に沿って確認し、上記期限指示片３が配設された位置における列方向（上方向）における期間表示欄１０に表示された日付等を確認することにより行う。
【００２９】
この期限指示片３は、特定食品の期限を図形的に指示するものであり、本実施形態では着色無地の円形ピースから構成されている。期限指示片３の裏面側には、上記シート磁石層２０と同様の磁石層３０を有し冷蔵庫の壁面に着脱し得るものとなされている。この期限指示片３の厚みは、上記シート本体２の厚みよりも厚く形成され、期限指示片３の先端部（表面側端部）がシート本体２の表面から突出するように構成されている一方、その形状は上記貫通孔８１よりも若干小さく形成されている。従って、期限指示片３が貫通孔８１を通して上記壁面Ｗに取り付けられている場合でも、期限指示片３の先端部を摘んで容易に着脱することができる。
【００３０】
なお、本実施形態では、期限指示片３として着色無地のものを用いたが、透明、半透明のものであってもよく、また模様や「期限」等の文字が付されたものを用いてもよいことは言うまでもない。
【００３１】
上記食品表示片４は、期限表示の対象となる食品を特定するものであり、上記表示片用貫通孔９１よりも若干小さい略矩形状のピースから構成されている。この食品表示片４は、表面に予め所定の食品名が印刷等により表示される一方、裏面側に上記シート磁石層２０と同様の磁石層（図示せず）を有し冷蔵庫の壁面Ｗに着脱し得るものとなされている。この食品表示片４の厚みは、上記シート本体２の厚みよりも厚く形成され、食品表示片４の先端部（表面側端部）がシート本体２の表面から突出するように構成されている。従って、食品表示片４が表示片用貫通孔９１を通して上記壁面Ｗに取り付けられている場合でも、食品表示片４の先端部を摘んで容易に着脱することができる。
【００３２】
また、食品表示片４は、本実施形態では、食品名により期限表示の対象となる食品を特定するものとなされているが、この食品名に代えて或いはこれに加えて、食品の絵や写真等により特定してもよい。
【００３３】
さらに、これらの食品表示片４は、通常頻繁に冷蔵庫内等に保管される食品については、予め食品名が印刷等により表示されたものが用意されている。一方、稀に冷蔵庫内等に保管される食品については無地の食品表示片が用意されており、この食品表示片に適宜保管する食品名を記入して用いることができる。この無地の食品表示片の表面をホワイトボードのように筆記消去可能に構成しておけば、繰り返し使用することができ便利である。このように、よく冷蔵庫内に保管される食品について予め食品名が表示された食品表示片４を用意しておくことにより、保管食品の期限表示にあたってその手間を省くことができる。
【００３４】
日付特定片５及び月特定片６は、それぞれ期間表示欄１０の日付欄１０１、月表示欄１０３の各貫通孔１０２，１０４に配設され、所定日から所定期間にわたる月日を連続して表示する円形ピース、略方形状ピースから構成されている。従って、日付特定片５には、１日から３１日までの３１ピースがあり、一方月特定片６は１月から１２月までの１２ピースある。日付特定片５は、終了した日表示するピースを所定期間経過後の日を表示するピースに変更することにより日々更新することができる。
【００３５】
日付特定片５及び月特定片６の裏面側には、上記シート磁石層２０と同様の磁石層（図示せず）を有し冷蔵庫の壁面Ｗに着脱し得るものとなされている。この日付特定片５及び月特定片６の厚みは、上記シート本体２の厚みよりも厚く形成され、日付特定片５及び月特定片６の先端部（表面側端部）がシート本体２の表面から突出するように構成されている一方、その形状は上記各貫通孔１０２，１０４よりも若干小さく形成されている。従って、日付特定片５及び月特定片６が各貫通孔１０２，１０４を通して上記壁面Ｗに取り付けられている場合でも、日付特定片５及び月特定片６の先端部を摘んで容易に着脱することができる。
【００３６】
而して、本実施形態の食品用期限表示シート１によれば、食品表示欄９と期間表示欄１０とを含む表示マップ８内に期限指示片を配置することにより、特定の食品の賞味期限等を表示するので、この期限を表示マップ８上に視覚的に明確に表示することができ、これを複数の食品について実行することにより、複数の食品の上記期限を視覚的かつ時系列的に一括表示することができる。
【００３７】
また、表示マップ８内の指定升目８０には、貫通孔８１が設けられ、この貫通孔８１を通して上記期限指示片３を冷蔵庫壁面Ｗに取り付けることにより期限指示片３の周囲にこの期限指示片３を取り囲む囲繞段部が形成され、この囲繞段部により期限指示片３の移動を規制するものとなされているので、従来の食品用期限表示シートのように期限指示片が上記振動に伴って移動し、異なる日付・曜日を指し示すといった事態を回避することができ、特定食品の期限を安定して表示することができ、これにより期限切れを確実に防止して期限切れによる食品の廃棄を抑制することができる。
【００３８】
なお、以上に本実施形態に係る食品用期限表示シートについて説明したが、この考案に係る期限表示シートは、上記実施形態に限定されるものではなく、その趣旨を逸脱しない範囲で種々の変更が可能である。例えば、以下のような変更が可能である。
【００３９】
▲１▼上記実施形態では、シート本体２に貫通孔８１を設け、この貫通孔８１を通して期限指示片３を冷蔵庫の壁面Ｗに取り付けることにより期限指示片３の移動を規制するものなされているが、期限指示片３の移動を規制する手段としてはこれに限定されるものではない。要は、期限指示片３の移動を規制するものであればよく、上記実施形態のように期限指示片３の周りにこれを取り囲む囲繞段部を設けるものだけでなく、期限指示片３をシート本体２の表面に取り付けるように構成された表示シートであって、期限指示片３の周囲所定箇所に柱状の突起体を設け、この突起体により期限指示片の移動を規制するものであってもよい。ただ、囲繞段部により期限指示片３の移動を規制するように構成すれば、上記期限指示片３の周面が囲繞段部（貫通孔８１の内周面）に接触して確実に期限指示片３の移動を規制することができる。
【００４０】
また、囲繞段部により期限指示片の移動を規制する場合でも、上記実施形態のように貫通孔８１を設け、この貫通孔８１を通して期限指示片３を冷蔵庫の壁面Ｗに取り付けることにより期限指示片３の移動を規制するものだけでなく、図３に示すように、シート本体２００に期限指示片３が配設される凹部２８１を設け、この凹部により囲繞段部を形成するものでもよい。
【００４１】
さらには、囲繞段部として、シート本体表面に指定升目８０を取り囲む囲繞壁を設け、これにより囲繞段部を形成するものであってもよい。
【００４２】
このようにシート本体に期限指示片を取り付けるものである場合には、食品用期限表示シートを例えば紐、針金等により吊設されるように構成してもよい。
【００４３】
ただし、上記実施形態のように、貫通孔８１を設け、この貫通孔８１を通して期限指示片３を冷蔵庫の壁面Ｗに取り付けることにより期限指示片３の移動を規制するようにすれば、簡単に囲繞段部を形成することができる。また、このように、貫通孔８１を通して被取付面に期限指示片３を取り付ける場合においては、シート本体２と期限指示片３との相対位置関係を確保する観点から、磁石により被取付面に密着状態に取り付けるのが好ましい。
【００４４】
▲２▼上記実施形態では食品用期限表示シート１をシート状磁石により冷蔵庫壁面Ｗに取り付けるものとなされているが、被取付面は冷蔵庫の壁面に限定されるものではなく、取り付け手段として上記シート状磁石を用いる場合には、ステンレス製壁面等の磁石が吸着する壁面であれば何れに取り付けるものであってもよい。
【００４５】
▲３▼上記実施形態では食品表示欄９に食品表示片４を配設することにより対象となる食品を特定するものとなされているが、この食品表示欄９の表面をホワイトボードのように筆記消去可能な面に構成し、この面に対象となる食品を表示するものであってもよい。
【００４６】
【考案の効果】
以上のように、本考案に係る食品用期限表示シートは、縦横欄のいずれか一方に設けられ対象となる食品が表示される食品表示欄と縦横欄の他方に設けられ日付と曜日のうち少なくとも一方が所定期間にわたって表示される期間表示欄とにより区画された表示マップを有するシート本体と、上記表示マップの区画位置に着脱自在に取り付けられる期限指示片とを備え、上記区画位置に上記期限指示片の移動を規制する移動規制部が設けられているので、特定食品の賞味期限等の期限を表示マップ上に視覚的に簡単かつ明確に表示することができ、これを複数の食品について実行することにより、複数の食品の上記期限を視覚的かつ時系列的に一括表示することができる。従って、この食品表示欄に表示された特定食品について、食品ごとに上記期限を確認する手間が省けるとともに期限切れを確実に防止することができる。しかも、移動規制部により期限指示片の移動が規制されるので、従来の食品用期限表示シートのように期限指示片が例えば扉の開け閉め等による振動に伴って移動し、異なる日付・曜日を指し示すといった事態を回避することができ、特定食品の期限を確実に表示することができ、これにより期限切れを確実に防止して期限切れによる食品の廃棄を抑制することができる。
【図面の簡単な説明】
【図１】本実施形態に係る食品用期限表示シートを示す正面図である。
【図２】図１のＩＩ−ＩＩ線断面図である。
【図３】他の実施形態に係る食品用期限表示シートにおける図２に相当する断面図である。
【符号の説明】
１　食品用期限表示シート
２　シート本体
３　期限表示片
４　食品表示片
８　表示マップ
９　食品表示欄
１０　期間表示欄
２０　シート磁石層
３０　磁石層
８０　指定升目
８１　貫通孔
【図１】
0003096994.tif 000003
【図２】
0003096994.tif 000004
【図３】
0003096994.tif 000005